(57)【特許請求の範囲】
【請求項１】
海底深くから海面上に側壁を沖から岸に平行して複数建ち上げ、前記側壁の沖よりに発電を阻害する波を食止める放物線状に沖に向け湾曲した壁を前記側壁に直角に海面から建ち上げ、前記側壁の合間の海底を波が抵抗なく岸に押し寄せられるよう、放物線状に湾曲した海底面を作り、前記側壁の合間に波を回転に変える菱状の板を下部に付け、強い波の衝撃を吸収する板バネを組み込み、支点軸を設け、一定方向回転歯車に接続する為の上部に角を設けた板状梃子を、前記側壁の合間に、前記側壁に直角に立てに設置、前記回転歯車への衝撃を吸収するコイルバネを仕込んだA,B二本の連結棒の一端を前記上部角に接続、前記二本の連結棒のそれぞれ他端は前記回転歯車の上向きと下向きのレバーにそれぞれ接続、前記菱状の板が波を受け前記板状梃子は振り子を繰り返し、前記上部角は逆さ振り子を行い接続された前記回転歯車の軸を回転させ、前記回転歯車の回転軸は、引張り曲げ荷重を吸収する接続版で滑車の付いた弾み車の回転軸に接続、弾み車は回転し発電に必要な回転に滑車で加速し発電機に接続して発電する事を特徴とする逆さ振り子波力発電装置
【発明の詳細な説明】
【技術分野】
【０００１】
本発明は、寄せ波引き波を効率よく電気エネルギーに変換し、安定した出力の高い発電装置に関するものである。
【背景技術】
【０００２】
これまで電気エネルギーは、主に原子力、火力、水力発電であるが、原子力発電は、いまだ世界の技術を投じても解決できない悲劇が生じている、また他の発電でも、自然環境を損ない緑の大地が過剰に失はれて行くなど幾つかの課題が、生じている。
【先行技術文献】
【特許文献】
【０００３】
【特許文献１】特許公開２０１０−０５０３８７公報
【発明の概要】
【発明が解決しようとする課題】
【０００４】
上記記載の電気エネルギーの現状を踏まえ、周囲を数千キロに及ぶ海に囲まれた我が国の豊富な無限の波エネルギーを、自然が持つ環境を最大限守り、二酸化炭素も出さないクリーンな逆さ振り子波力発電装置によって安定した出力の高い電気エネルギーを提供することを課題とする。
【課題を解決するための手段】
【０００５】
この問題を解決するための請求項１の発明は、上記目的を達成する為、寄せ波引き波を効率よく、安定した電気エネルギーに変換する為、海底深くから海面上に側壁を沖から岸に平行して複数建ち上げ、その側壁の沖よりに発電を阻害する波を食止める放物線状に沖に向け湾曲した壁を前記側壁に直角に海面から建ち上げ、前記側壁の合間の海底は寄せ波が自然に岸に押し寄せられるよう放物線状に沖に向け湾曲した海底面を作る事で波は自然に岸に押し寄せ引き返す。
【０００６】
前記側壁の合間に寄せ波引き波を回転に変換する為に、板状梃子に波を受けたさい横ぶれを防ぐ菱状の板を下部につけ、強い波を受けたさい板状梃子の衝撃を吸収する板バネを板状梃子に組み込み支点軸を設け、上部角には弾み車に接続して、弾み車を回転させる一定方向回転歯車のレバーに接続する箇所を前記角に設けた、前記板状梃子を前記側壁の合間に前記側壁に直角に立てに設置。
【０００７】
前記板状梃子の前記菱状の板が、寄せ波引き波を受け板状梃子は振り子を繰り返す事で支点軸を持つ板状梃子の前記上部角は逆さ振り子を繰り返す、その逆さ振り子の前記角に、前記回転歯車の衝撃を吸収するコイルバネを仕込んだA,B二本の連結棒、A連結棒の一端、B連結棒の一端を逆さ振り子の前記角の上部に接続、前記A連結棒の片方は弾み車を回転させる前記回転歯車の上向きレバーに接続、寄せ波で前記回転歯車のレバーを引きの前記回転歯車の軸を回転させ、前記B連結棒の片方は前記回転歯車の下向きレバーに接続、引き波で前記回転歯車のレバーを押し前記回転歯車の軸を回転させ、前記回転歯車の回転軸は、引張り曲げ荷重を吸収する接続版で滑車が付いた弾み車の回転軸に接続、前記菱状の板が寄せ波引き波を受け板状梃子は振り子を行い上部前記角は逆さ振り子を繰り返し、連結棒で接続された弾み車に回転を与え、弾み車は安定した回転を蓄え加速滑車で加速し発電に必要な回転力を得て発電機に接続して発電する事を特徴とする波力発電装置。
【発明の効果】
【０００８】
本発明の発電施設からなるクリーンな逆さ振り子発電装置により、周囲を数千キロに及ぶ海に囲まれた我が国の豊富な無限の波エネルギーを、自然環境を最大限守り時化る海にも影響されない施設で、安定した出力の高い電気エネルギーを得る事で化石燃料及び原子力発電の一端を担う。
【図面の簡単な説明】
【０００９】
【図１】本発明の発電設備及び発電装置の平面図
【図２】Ａ〜Ａ面から見た側面図
【図３】Ｂ〜Ｂ面から見た正面図
【図４】Ｃ〜Ｃ面から見た正面図
【図５】D面から見た拡大図
【発明を実施するための形態】
【００１０】
以下、本発明の波力発電実施の形態について、図面を参照して説明する。
【００１１】
図１は本発明の波力発電装置の平面図である。図１において符号１は寄せ波引き波を安定して効率よく電気エネルギーに変換する為、海底深くから海面上に側壁１を沖から岸に平行して複数建ち上げ、その側壁１の沖よりに発電を阻害する波を食止める放物線状に沖に向け湾曲した壁２を側壁１に直角に海面から建ち上げ、側壁１の合間３の海底は寄せ波が自然に岸に押し寄せられるよう放物線状に沖に向け湾曲した海底面４を作る事で寄せ波は抵抗無く岸に押し寄せ引き返す。
【００１２】
側壁１の合間３に寄せ波引き波を回転に変換する為、板状梃子５の下部に波を受けたさい横ぶれを防ぐ菱状の板６をつけ、板状梃子５の衝撃を吸収する板バネ８を板状梃子５に組み込み、支点軸９を設け上部角１０には弾み車１７に接続して弾み車１７を回転させる一定方向回転歯車７のレバー１１に接続する箇所を角１０に設けた、板状梃子５を側壁１の合間３に側壁１に直角に立てに設置。
【００１３】
板状梃子５下部の菱状の板６が寄せ波引き波を受け板状梃子５は振り子を行い支点軸９を持つ板状梃子５の角１０は逆さ振り子を繰り返す、その逆さ振り子の角１０に前記回転歯車７の衝撃を吸収するコイルバネ１２を仕込んだA,B二本の連結棒１３  A連結棒の一端１４  B連結棒の一端１５逆さ振り子の上部角１０に接続、A連結棒の片方１６は弾み車１７を回転させる前記回転歯車７の上向きのレバー１８に接続、B連結棒の片方１９前記回転歯車７の下向きレバー２０接続。
【００１４】
菱状の板６が寄せ波引き波を受け板状梃子５は振り子行い、上部角１０は逆さ振り子行う、上部角１０に接続しているA連結棒１３の片方１６は接続している前記回転歯車７上向きレバー１８を寄せ波で引き、前記回転歯車７回転軸２１を回転させ、B連結棒１３の片方１９は接続している前記回転歯車６下向きレバー２０引き波で押し、前記回転歯車６の回転軸２０を回転させ前記回転歯車６の回転軸２０は、引張り曲げ荷重を吸収する接続版２２で滑車２５の付いた弾み車１７の回転軸
２３に接続、菱状の板６が寄せ波引き波を受け弾み車１７に回転を与え弾み車
１７は安定した回転を蓄え加速滑車２４で加速、発電に必要な回転力を得て発電機２７に接続して発電する事を特徴とする逆さ振り子発電装置。
【００１５】
前記発電装置を複数設置する事で、より多くの電力を提供することが出来る。
【産業上の利用可能性】
【００１６】
本発明は波が持つエネルギーを利用して発電する装置に利用することが出来る。
【符号の説明】
【００１７】
１    側壁                ２    波止め壁                  ３  側壁の合間
４    湾曲した海底面      ５    板状梃子                  ６  菱状の板
７    一定方向回転歯車    ８    板バネ                    ９  支点軸
１０  上部角            １１一定方向回転歯車のレバー    １２  コイルバネ
１３  二本の連結棒      １４  A連結棒の一端             １５  B連結棒の一端  １６  A連結棒の片方     １７  弾み車                    １８  上向きのレバー  １９  B連結棒の片方     ２０  下向きのレバー            ２１  回転軸
２２  接続版            ２３  弾み車の回転軸            ２４  加速滑車
２５  滑車              ２６  ベルト                    ２７  発電機
２８  床                ２９  軸受け台                  ３０左右の壁
３１  満潮水位          ３２  干潮水位
【要約】
【課題】自然環境を最大限守り、無限の波エネルギーから安定した出力の高い電気を提供することを課題とする。
【解決の手段】
海底深くから海面上に側壁を沖から岸に平行して複数建ち上げ、前記側壁の沖寄りに発電を阻害する波を止める壁を前記側壁に直角に海面から建ち上げ、前記側壁の合間の海底面は湾曲した海底面を作り、前記側壁の合間に波を回転に変換する為、下部に波を受ける板を付け支点軸、上部に一定方向回転歯車のレバーに接続する角を設けた板状梃子を前記側壁の合間に前記側壁に直角に立てに設置、前記板が波を受け前記角は逆さ振り子行い二本の連結棒の一端を前記角に接続、前記二本の連結棒の片方は前記回転歯車上向と下向レバーに接続、前記板が波を受け板状梃子は振り子行い上部前記角は逆さ振り子行う、接続された弾み車が回転、滑車で加速し発電機に接続し発電する。
【選択図】図２【図１】
0005641269.tif 000002
【図２】
0005641269.tif 000003
【図３】
0005641269.tif 000004
【図４】
0005641269.tif 000005
【図５】
0005641269.tif 000006